(57)【要約】      （修正有）【課題】支柱に形成される係止孔が、顧客から見え難く、設置安定性に優れる支柱体を提供する。【解決手段】所定の厚みの第１支柱部１と、第１支柱部１と横並びで離れて位置する、所定の厚みの第２支柱部２と、第１支柱部１と第２支柱部２を連結する薄肉部３と、を備え、第１支柱部１と第２支柱部２の連結側の側面は互いに対峙しており、薄肉部３には、陳列用補助具が係止される係止孔４が、上下方向に所定のピッチで多数形成され、薄肉部３は、陳列用補助具が挿入される側における第１支柱部１及び第２支柱部２の端より厚み方向の奥側に位置する。【選択図】図１
0003211999.tif 000002
【実用新案登録請求の範囲】
【請求項１】
所定の厚み（ｔ１）を有する第１支柱部と、
該第１支柱部と横並びで離れて位置する、所定の厚み（ｔ２）を有する第２支柱部と、
該第１支柱部と該第２支柱部を連結する所定の厚み（ｔ３）を有する薄肉部と、を備え、
該第１支柱部と該第２支柱部の連結側の側面は互いに対峙しており、
該（ｔ３）は、該（ｔ１）および該（ｔ２）より小であり、
該薄肉部には、陳列用補助具が係止される係止孔が、上下方向に所定のピッチで多数形成され、
該薄肉部は、該陳列用補助具が挿入される側における第１支柱部及び第２支柱部の端より厚み方向の奥側に位置することを特徴とする支柱体。
【請求項２】
該第１支柱部の厚み（ｔ１）と該第２支柱部の厚み（ｔ２）は、同じであり、該薄肉部は、該第１支柱部および該第２支柱部の厚み方向の中央に位置することを特徴とする請求項１記載の支柱体。
【請求項３】
該第１支柱部の厚み（ｔ１）は、該第２支柱部の厚み（ｔ２）より小又は大であり、該薄肉部は、該第１支柱部および該第２支柱部のそれぞれの厚み方向の中央に位置することを特徴とする請求項１記載の支柱体。
【請求項４】
該第１支柱部の厚み（ｔ１）と該第２支柱部の厚み（ｔ２）は、同じであり、該薄肉部は、該第１支柱部および該第２支柱部の厚み方向の奥側の端部に位置することを特徴とする請求項１２記載の支柱体。
【請求項５】
該第１支柱部の厚み（ｔ１）は、該第２支柱部の厚み（ｔ２）より小又は大であり、該薄肉部は、該第１支柱部および該第２支柱部の厚み方向の奥側の端部に位置することを特徴とする請求項１記載の支柱体。
【請求項６】
該第１支柱部と該第２支柱部の連結側の側面は、平面視で互いに平行であり、且つ薄肉部の表面と直交することを特徴とする請求項１〜５のいずれか１項に記載の支柱体。
【請求項７】
該薄肉部の表面から該第１支柱部および該第２支柱部の厚み方向の端までの寸法（ｔ４）は、該薄肉部の幅寸法（ｗ１）と同じ又はそれ以上であることを特徴とする請求項２に記載の支柱体。
【請求項８】
該係止孔は、上下方向に長い長孔で、且つ貫通孔であることを特徴とする請求項１〜７のいずれか１項に記載の支柱体。
【請求項９】
柱状又は板状であることを特徴とする請求項１〜８のいずれか１項に記載の支柱体。 
【考案の詳細な説明】
【技術分野】
【０００１】
本考案は、展示バーなどの陳列用補助具を取り付ける係止孔が、斜め正面からは見え難く、意匠性が高く、支持が安定する支柱体に関する。
【背景技術】
【０００２】
従来、衣料品の量販店において、Ｔシャツ、ポロシャツ、パンツなどを陳列する什器として、例えば、２本または４本の支柱に対して、棚板を上下多段で設置した多段陳列棚が知られている（特開２０１５−２０８５９２号公報）。２本または４本の支柱は、Ｌ字断面形状又は中空状の四角断面形状であり、支柱を構成する側面には、陳列用補助具が係止する上下方向に多数の係止孔が形成されている。図２５は従来の中空状の四角断面の支柱体１００を示すものであり、４つの側板の内、ひとつの側板１０１には、上下方向に多数の係止孔１０２が形成されている。棚板は、例えば、係止孔に係止される四隅の支持部材（陳列用補助具）に載置され、商品情報を表示するＰＯＰボードは、係止孔に係止されるバー部材（陳列用補助具）などに取り付けられている。このように、支柱の係止孔（スリット）は、多段陳列棚においては、必要不可欠のものとなっている。
【先行技術文献】
【特許文献】
【０００３】
【特許文献１】特開２０１５−２０８５９２号公報（図１）
【考案の開示】
【考案が解決しようとする課題】
【０００４】
しかしながら、この支柱に形成されている係止孔は、顧客から見えるため、意匠性に乏しい。このため、品質を売りにする商品の展示には、不向きであるという問題がある。また、係止孔は、単に、支柱を構成する側板に形成される貫通孔に過ぎず、係止孔に係止する係止片が、鈎部を有する板状部材などの陳列用補助具の場合、左右方向にブレが生じ、設置安定性に劣るという問題があった。従って、支柱に形成される係止孔が、顧客から見え難く、設置安定性に優れる支柱体の開発が望まれていた。  
【０００５】
従って、本考案の目的は、支柱に形成される係止孔が、顧客から見え難く、設置安定性に優れる支柱体を提供することにある。
【課題を解決するための手段】
【０００６】
すなわち、本考案は、上記従来の課題を解決するものであって、所定の厚み（ｔ１）を有する第１支柱部と、該第１支柱部と横並びで離れて位置する、所定の厚み（ｔ２）を有する第２支柱部と、該第１支柱部と該第２支柱部を連結する所定の厚み（ｔ３）を有する薄肉部と、を備え、該第１支柱部と該第２支柱部の連結側の側面は互いに対峙しており、該（ｔ３）は、該（ｔ１）および該（ｔ２）より小であり、該薄肉部には、陳列用補助具が係止される係止孔が、上下方向に所定のピッチで多数形成され、該薄肉部は、該陳列用補助具が挿入される側における第１支柱部及び第２支柱部の端より厚み方向の奥側に位置することを特徴とする支柱体を提供するものである。
【０００７】
また、本考案は、該第１支柱部の厚み（ｔ１）と該第２支柱部の厚み（ｔ２）は、同じであり、該薄肉部は、該第１支柱部および該第２支柱部の厚み方向の中央に位置することを特徴とする前記支柱体を提供するものである。
【０００８】
また、本考案は、該第１支柱部の厚み（ｔ１）は、該第２支柱部の厚み（ｔ２）より小又は大であり、該薄肉部は、該第１支柱部および該第２支柱部のそれぞれの厚み方向の中央に位置することを特徴とする前記支柱体を提供するものである。
【０００９】
また、本考案は、該第１支柱部の厚み（ｔ１）と該第２支柱部の厚み（ｔ２）は、同じであり、該薄肉部は、該第１支柱部および該第２支柱部の厚み方向の奥側の端部に位置することを特徴とする前記支柱体を提供するものである。
【００１０】
また、本考案は、該第１支柱部の厚み（ｔ１）は、該第２支柱部の厚み（ｔ２）より小又は大であり、該薄肉部は、該第１支柱部および該第２支柱部の厚み方向の奥側の端部に位置することを特徴とする前記支柱体を提供するものである。
【００１１】
また、本考案は、該第１支柱部と該第２支柱部の連結側の側面は、平面視で互いに平行であり、且つ薄肉部の表面と直交することを特徴とする前記支柱体を提供するものである。
【００１２】
また、本考案は、該薄肉部の表面から該第１支柱部および該第２支柱部の厚み方向の端までの寸法（ｔ４）は、該薄肉部の幅寸法（ｗ１）と同じ又はそれ以上であることを特徴とする前記支柱体を提供するものである。
【００１３】
また、本考案は、該係止孔は、上下方向に長い長孔で、且つ貫通孔であることを特徴とする前記支柱体を提供するものである。
【００１４】
また、本考案は、柱状又は板状であることを特徴とする前記支柱体を提供するものである。
【考案の効果】
【００１５】
本考案によれば、支柱に形成される係止孔が、正面視においてＵ字溝の底溝に形成されたものであり、顧客からは、真正面から見えるものの、斜め方向からは見えない。すなわち、顧客からは、真正面以外の角度からは見えないものとなっており、意匠性に優れる。また、Ｕ字溝を形成する両側壁が、陳列用補助具の係止片を両側から挟む若しくは支持することになり、陳列用補助具の設置が安定する。
【図面の簡単な説明】
【００１６】
【図１】本考案の第１の実施の形態における支柱体の部分斜視図である。
【図２】図１の支柱体の正面図である。
【図３】図２のＸ１-Ｘ１線に沿って見た断面図である。
【図４】図２のＹ１-Ｙ１線に沿って見た断面図である。
【図５】図１の支柱体を使用した什器の図である。
【図６】図１の支柱体に陳列用補助具が係止した部分断面図である。
【図７】図６のＦ方向から見た図である。
【図８】図６のＺ１-Ｚ１線に沿って見た断面図である。
【図９】図１の支柱体を使用した他の什器の図である。
【図１０】本考案の第２の実施の形態における支柱体の部分斜視図である。
【図１１】図１０の支柱体の正面図である。
【図１２】図１１のＸ２-Ｘ２線に沿って見た断面図である。
【図１３】図１１のＹ２-Ｙ２線に沿って見た断面図である。
【図１４】本考案の第３の実施の形態における支柱体の部分斜視図である。
【図１５】支柱体の変形例を示す。
【図１６】支柱体の他の変形例を示す。
【図１７】支柱体の他の変形例を示す。
【図１８】支柱体の他の変形例を示す。
【図１９】支柱体の他の変形例を示す。
【図２０】支柱体の他の変形例を示す。
【図２１】図１の支柱体を使用した他の什器の図である。
【図２２】図１の什器における陳列用補助具が係止した部分断面図である。
【図２３】図２２のＦ方向から見た図である。
【図２４】図２２のＺ２-Ｚ２線に沿って見た断面図である。
【図２５】従来の支柱体の部分斜視図である。
【考案を実施するための形態】
【００１７】
次に、本考案の第１の実施の形態における支柱体およびこれを使用した什器を図１〜８を参照して説明する。本明細書において、正面視とは、薄肉部に形成される係止孔を正視する位置を言う。従って、「厚み」とは、正面視における奥行方向を言う。支柱体１０は、所定の厚み（ｔ１）を有する第１支柱部１と、第１支柱部１と横並びで離れて位置する、所定の厚み（ｔ２）を有する第２支柱部２と、第１支柱部１と第２支柱部２を連結する所定の厚み（ｔ３）を有する薄肉部３と、を備えている。また、第１支柱部１と第２支柱部２の連結側の側面１１、２１は互いに対峙しており、第１支柱部１、第２支柱部２および薄肉部３は一体化しており、（ｔ３）は、（ｔ１）および（ｔ２）より小であり、薄肉部３には、陳列用補助具が係止される係止孔４が、上下方向に所定のピッチで多数形成されている。
【００１８】
支柱体１０において、薄肉部３は、陳列用補助具が挿入される側（図中、符号Ｆ）における第１支柱部１及び第２支柱部２の端８１より厚み方向の奥側に位置する。本例の支柱体１０における第１支柱部１及び第２支柱部２の端８１は、正面側の側板面である。すなわち、図６〜図８に示すように、係止孔４に陳列用補助具５が挿入された際、陳列用補助具５（第２係止片５１）の左右両側には、第１支柱部１及び第２支柱部２の側壁が存在する。なお、本考案において、第１支柱部及び第２支柱部の端は、正面側の側板面に限定されず、角部であってもよい。また、本考案において、第１支柱部及び第２支柱部の側壁は、全面が平面のもの及び部分的に平面のものが挙げられる。
【００１９】
支柱体１０において、第１支柱部１と第２支柱部２は、四角形断面の同じ形状であり、（ｔ１）および（ｔ２）は同じである。従って、第１支柱部１のみを説明し、第２支柱部２の説明は省略する。第１支柱部１は、四角形断面の長尺体である。従って、第１支柱部１の連結側の側面１１は全面が平面であり、第２支柱部２の連結側の側面２１と長さ（ｗ１）離れて、互いに平行で且つ対峙している。なお、第１支柱部１および第２支柱部２は、中空状の支柱であってもよい。
【００２０】
薄肉部３は、厚みが（ｔ３）と、第１支柱部１の厚み（ｔ１）より薄く、第２支柱部２の厚み（ｔ２）より薄い。また、幅寸法は、第１支柱部１と第２支柱部２の離間距離（ｗ１）であり、長手方向長さは、第１支柱部１および第２支柱部２と同じである。薄肉部３は、第１支柱部１および第２支柱部２の厚さ方向の中央位置で、第１支柱部１と第２支柱部２を連結する。従って、薄肉部３の表面から第１支柱部１と第２支柱部２の表面まで距離（ｔ４）であり、薄肉部３の裏面から第１支柱部１と第２支柱部２の裏面まで距離（ｔ５）であり、正面側の斜め方向からは、薄肉部３が見え難くなっている。すなわち、第１支柱部１と第２支柱部２の連結側の側面は、平面視で互いに平行であり、且つ薄肉部３の表面と直交するものである。
【００２１】
薄肉部３に形成される係止孔４は、上下方向に長い長孔で、且つ前後方向に貫通する貫通孔であり、孔の幅寸法は、第１支柱部１と第２支柱部２との離間距離（ｗ１）である。このため、薄肉部３は、第１支柱部１と第２支柱部２を上下方向において、飛び飛びの部分連結である。このような係止孔４は、正面視では、謂わばＵ字溝の溝底に形成されたものである。従って、正面側の斜め方向からは、係止孔４は見え難くい。特に、図４に示すように、平面視において、第２支柱部２の角端と薄肉部３の当該角端とは反対側の第１支柱部１との連結端部とを接続する線９０と、第２支柱部２の表側の側面との成す角度αは、４５度またはそれ以上のものが、正面側の斜め方向からは、係止孔４は見え難くい点で好ましい。
【００２２】
次に、支柱体１０を使用した什器２０について説明する。什器２０において、支柱体１０は、什器２０の四隅の支柱として使用される。また、支柱体１０は、横向きに設置され、係止孔４は、什器２０基準で側面方向（左右方向）を向いている。支柱体１０の第１支柱部１の上端部の表面には、第１横棧部材２１１の端部が接続しており、支柱体１０の第２支柱部２の上端部の側表面には、第２横棧部材２１１の端部が接続している。什器２０の係止孔４には、陳列用補助具９が取り付けられる。本例における陳列用補助具９は、ＰＯＰ表示具本体５とＰＯＰ表示具６とからなる。
【００２３】
ＰＯＰ表示具本体５は、丸棒の支持本体５４と、板状の振れ規制部５３と、振れ規制部５３から支持本体５４の反対方向に延びる第１係止５２と、第１係止部５２から更に先端側に延びる第２係止部５１とからなる。第１係止部５２と第２係止部５１は、平面視が厚みを有する板状体である。第２係止部５１は、係止孔４を通る寸法を有し、第２係止部５１の第２係止部５１側は、薄肉部３が係止する凹状の係り部５１１を有している。また、第１係止部５２は、上下方向の寸法において、係止孔４より大の寸法を有する矩形断面の係止部である。振れ規制部５３は、ＰＯＰ表示具本体５が支柱体１に取り付けられた状態において、支柱体１０の表面部に当接し、ＰＯＰ表示具本体５が左右に振れることを防止する。また、支持本体５４には、ＰＯＰ表示具６が取り付けられる。ＰＯＰ表示具６は、中空丸棒の取り付け部６１と取り付け部６１から下方に垂れる垂れ幕状の表示部６２とからなる。ＰＯＰ表示具６の取り付け部６１は、ＰＯＰ表示具本体５の支持本体５４に取り付けられる。
【００２４】
ＰＯＰ表示具本体５を支柱部１０の係止孔４に取り付けるには、第１支柱部１と第２支柱部２間の開口から第２係止部５１を挿入し、次いで係止孔４に通す。そして、薄肉部３に係り部５１１の凹部を係止する。これにより、ＰＯＰ表示具本体５は、係止孔４に係止する。この際、第１係止部５２の後端は２つの部分薄肉部３の前面に当接しており、ＰＯＰ表示具本体５の上下方向の振れを防止できる。また、図８に示すように、第１係止部５２と第２係止部５１は、第１支柱部１と第２支柱部２の内壁に近接しており、第１支柱部１と第２支柱部２に挟まれており、左右の振れを防止できる。なお、このＰＯＰ表示具本体５では、板状の振れ規制部５３が、支柱体１０の表面部に当接しており、ここでも、ＰＯＰ表示具本体５が左右に振れることを防止している。また、支柱体１０において、係止孔４は、正面視では、Ｕ字溝の溝底に形成されており、例えば、図５のような角度からでは、係止孔４は見えない。このため、顧客からは、真正面以外の角度からは見えないものとなっており、意匠性に優れる。
【００２５】
図９の什器２０ａは、図５の什器２０の陳列補助具が異なる例を示すものである。すなわち、図９の什器２０ａにおいて、図５と同一構成要素には同一符号を付して、その説明を省略し異なる点について、主に説明する。すなわち、什器２０ａの陳列補助具７において、什器２０の陳列補助具５と異なる点は、支持本体である。すなわち、什器２０ａの陳列補助具７の支持本体７４は、振れ規制部５３の上端から水平に延びる板状の載置板７４である。また、載置板７４の下方には、載置板７４と振れ規制部５３を接続する補強板７５が付設されている。これにより、什器２０ａの４つの陳列補助具７には、棚板部材８を四隅で載置することができる。図９の什器２０ａにおいて、第１係止部５２と第２係止部５１間のＵ字溝は、左右方向の内側を向いており、且つ係止孔４は、Ｕ字溝の溝底に形成されており、顧客からは見え難い。
【００２６】
次に、本考案の第２の実施の形態における支柱体を、図１０〜図１３を参照して説明する。図１０〜図１３の支柱体１０ａにおいて、図１〜図４の支柱体１０と同一構成要素には同一符号を付して、その説明を省略し、異なる点について、主に説明する。すなわち、図１０〜図１３の支柱体１０ａにおいて、図１〜図４の支柱体１０と異なる点は、係止孔である。すなわち、支柱体１０ａの係止孔４ａの幅方向長さは、第１支柱部１と第２支柱部２間の距離ｗ１より狭いｗ２である。このような係止孔４ａは、支柱体１０の係止孔４と比べると、陳列補助具の第１係止部５２と第２係止部５１が、第１支柱部１と第２支柱部２の内壁から少し離れるものの、左右の大きな振れは防止できる。
【００２７】
次に、本考案の第３の実施の形態における支柱体を、図１４を参照して説明する。図１４の支柱体１０ｂにおいて、図１〜図４の支柱体１０と同一構成要素には同一符号を付して、その説明を省略し、異なる点について、主に説明する。すなわち、図１４の支柱体１０ｂにおいて、図１〜図４の支柱体１０と異なる点は、第２支柱部の形状である。支柱体１０ｂの第２支柱部２ａは、厚みが第１支柱部２と同じの板状体である。すなわち、第２支柱部２ａの左右方向の長さは、第１支柱部２の左右方向の長さに比して、遥かに大である。このような支柱体構造であっても、支柱体１０と同様の作用効果を奏する。
【００２８】
次に、本考案の第４の実施の形態における支柱体を、図１５を参照して説明する。図１５の支柱体１０ｃにおいて、図１〜図４の支柱体１０と同一構成要素には同一符号を付して、その説明を省略し、異なる点について主に説明する。すなわち、図１５の支柱体１０ｃにおいて、図１〜図４の支柱体１０と異なる点は、薄肉部の形成位置である。すなわち、支柱体１０ｃの薄肉部３ｃは、第１支柱部１および第２支柱部２の厚み方向（前後方向）の奥側の端部に位置する。すなわち、支柱体１０ｃにおいて、第１支柱部１、第２支柱部２および薄肉部３ｃの後端面（背面）は、面一となっている。このような支柱体１０ｃの係止孔４ｃは、正面視において、更に奥側に位置し、顧客からは見え難いものとなっている。支柱体１０ｃにおいて、陳列用補助具の挿入側（符号Ｆ）は、第１支柱部１と第２支柱部２間の開口側である。
【００２９】
次に、本考案の第５の実施の形態における支柱体を、図１６を参照して説明する。図１６の支柱体１０ｄにおいて、図１〜図４の支柱体１０と同一構成要素には同一符号を付して、その説明を省略し、異なる点について主に説明する。すなわち、図１６の支柱体１０ｄにおいて、図１〜図４の支柱体１０と異なる点は、薄肉部の形成位置および第２支柱部の形状である。すなわち、支柱体１０ｃの薄肉部３ｃは、第１支柱部１および第２支柱部２のｄ厚み方向（前後方向）の奥側の端部に位置する。すなわち、支柱体１０ｄにおいて、第１支柱部１、第２支柱部２ｄおよび薄肉部３ｄの後端面（背面）は、面一となっている。また、第２支柱部の厚み（ｔ６）は、第１支柱部の厚み（ｔ１）より大である。このような支柱体１０ｄの係止孔４ｄは、正面視において、更に奥側に位置し、顧客からは見え難いものとなっている。支柱体１０ｄにおいて、陳列用補助具の挿入側（符号Ｆ）は、第１支柱部１と第２支柱部２ｄ間の開口側である。
【００３０】
次に、本考案の第６の実施の形態における支柱体を、図１７を参照して説明する。図１７の支柱体１０ｅにおいて、図１〜図４の支柱体１０と同一構成要素には同一符号を付して、その説明を省略し、異なる点について主に説明する。すなわち、図１７の支柱体１０ｅにおいて、図１〜図４の支柱体１０と異なる点は、第１支柱部および第２支柱部の形状である。第１支柱部１ｅと第２支柱部２ｅは同一形状であり、第１支柱部１ｅのみを説明して、第２支柱部２ｅの説明を省略する。第１支柱部１ｅは、第２支柱部２ｅとの連結側とは反対側の側面形状が、平面視で半円形状である。すなわち、本考案の支柱体の第１支柱部および第２支柱部は、矩形断面形状に限定されず、第１支柱部および第２支柱部の連結側が、平面状、略平面状および図１９および図２０のような部分平面状であれば、連結側とは反対側の形状は、如何なるものであってもよい。このような支柱体１０ｅは、支柱体１０と同様の作用効果を奏する。
【００３１】
次に、本考案の第７の実施の形態における支柱体を、図１８を参照して説明する。図１８の支柱体１０ｆにおいて、図１〜図４の支柱体１０と同一構成要素には同一符号を付して、その説明を省略し、異なる点について主に説明する。すなわち、図１８の支柱体１０ｆにおいて、図１〜図４の支柱体１０と異なる点は、第１支柱部および第２支柱部の形状である。第１支柱部１ｆと第２支柱部２ｆは同一形状であり、第１支柱部１ｆのみを説明して、第２支柱部２ｆの説明を省略する。第１支柱部１ｆは、断面形状が略半円形状である。このような支柱体１０ｆは、支柱体１０と同様の作用効果を奏する。
【００３２】
次に、本考案の第８の実施の形態における支柱体を、図１９を参照して説明する。図１９の支柱体１０ｇにおいて、図１〜図４の支柱体１０と同一構成要素には同一符号を付して、その説明を省略し、異なる点について主に説明する。すなわち、図１９の支柱体１０ｇにおいて、図１〜図４の支柱体１０と異なる点は、第１支持部および第２支柱部の形状である。第１支柱部１ｇと第２支柱部２ｇは同一形状であり、第１支柱部１ｇのみを説明して、第２支柱部２ｇの説明を省略する。第１支柱部１ｇは、断面がＥ字形状である。すなわち、四角形断面の連結側の側面部が、平面視で上方部と下方部の２箇所において、四角形断面状に切り欠かれたものであり、「Ｅ」字を構成する３つの水平線部の中央の水平線部が薄肉部３ｇとなったものである。すなわち、第１支柱部１ｇと第２支柱部２ｇの連結側の側面が、全面平面ではなく、凹部が入った部分平面である。このような、支柱体１０ｇにおいても、支持体１０と同様の作用効果を奏する。
【００３３】
次に、本考案の第９の実施の形態における支柱体を、図２０を参照して説明する。図２０の支柱体１０ｈにおいて、図１〜図４の支柱体１０と同一構成要素には同一符号を付して、その説明を省略し、異なる点について主に説明する。すなわち、図２０の支柱体１０ｈにおいて、図１〜図４の支柱体１０と異なる点は、薄肉部の形成位置と第１支持部および第２支柱部の形状である。すなわち、支柱体１０ｈの薄肉部３ｈは、第１支柱部１ｈおよび第２支柱部２ｈの厚み方向（前後方向）の奥側の端部に位置する。すなわち、支柱体１０ｈにおいて、第１支柱部１ｈ、第２支柱部２ｈおよび薄肉部３ｈの後端面（背面）は、面一となっている。また、第１支柱部１ｈと第２支柱部２ｈは同一形状であり、第１支柱部１ｈのみを説明して、第２支柱部２ｈの説明を省略する。第１支柱部１ｈは、断面がコ字形状である。すなわち、四角形断面の連結側の側面端において、平面視で上方端と下方端の２箇所において、連結側に四角形断面状の突起が延びたものであり、「コ」字を構成する２つの水平線部の内、ひとつの水平線部で左右一対ものが連続して薄肉部となったものである。なお、支柱体１０ｈにおいて、陳列用補助具の挿入側（符号Ｆ）は、第１支柱部１ｈと第２支柱部２ｈ間の開口側である。すなわち、第１支柱部１ｈと第２支柱部２ｈの連結側の側面が、全面平面ではなく、凹部が入った部分平面である。このような、支柱体１０ｈにおいても、支持体１０と同様の作用効果を奏する。
【００３４】
次に、図５の什器の変形例について、図２１〜図２４を参照して説明する。図２１〜図２４の什器２０ｂにおいて、図５の什器２０と異なる点は、ひとつの係止孔４に二つの陳列用補助具が入り込む点である。すなわち、一方の側面から陳列用補助具５を挿入し、第２係止部５２を係止する一方、他方の側面から同じ係止孔に陳列用補助具５ａを挿入し、第２係止部５２ａを係止する。図２３に示すように、この場合、係止孔４の幅寸法は、二つの陳列用補助具５の第２係止部５２と第２係止部５２ａの合計厚みより大である。このような什器２０ｂにおいても、図５の什器２０と同様の効果を奏する。
【００３５】
本考案において、陳列用補助具としては、薄肉部３の係止孔に係止する係止片を有するものであれば、特に制限されない。陳列用補助具は、それ自体で、ＰＯＰ表示具や棚板となるものや、陳列用補助具に、ＰＯＰ表示具や棚板などが取り付ける中間部材となるものが挙げられる。
【００３６】
本考案において、上記の実施の形態例に限定されず、種々の変形例を採ることができる。図１５の支柱体１０ｃにおいて、薄肉部３ｃの位置は、奥側の端部に限定されず、図１と図１５の中間位置、すなわち、薄肉部３の形成位置は、中央よりやや奥側に位置するようなものであってもよい。
【００３７】
図１６の支柱体１０ｄにおいて、第１支柱部１の厚みが、第２支柱部２ｄの厚みより大であってもよい。また、図１６の支柱体１０ｄにおいて、薄肉部３の形成位置は、奥側端に限定されず、それ以外の中央部、やや奥側部、やや前側部のいずれであってもよい。また、図１７や図１８において、薄肉部の設置位置は、中央部に限定されず、それ以外のやや奥側部、やや前側部、奥側端部のいずれであってもよい。図１９および図２０において、Ｅ字形状やコ字形状で形成された矩形断面の凹部は、この形状に限定されず、所謂Ｕ字溝の底の角は、９０度以外に丸み状であってもよい。また、本考案の支柱体において、第１支柱部および第２支柱部の連結側の側板面は、平面視で傾斜する面が含まれていてもよい。
【産業上の利用可能性】
【００３８】
本考案によれば、使用者側からは、簡単な構造でありながら、支柱に形成される係止孔が、顧客からは見え難く、展示する商品の高級感を削ぐことがない。また、Ｕ字溝を形成する両側壁が、陳列用補助具の係止片を両側から挟む若しくは支持することになり、陳列用補助具の設置が安定する。
【符号の説明】
【００３９】
１、１ａ〜１ｈ    第１支柱部
２、２ａ〜２ｈ    第２支柱部
３、３ａ〜３ｈ    薄肉部
４、４ａ〜４ｈ    係止孔
９                陳列用補助具
１０、１０ａ〜１０ｈ    支柱体
２０、２０ａ、２０ｂ    什器 
【図１】
0003211999.tif 000003
【図２】
0003211999.tif 000004
【図３】
0003211999.tif 000005
【図４】
0003211999.tif 000006
【図５】
0003211999.tif 000007
【図６】
0003211999.tif 000008
【図７】
0003211999.tif 000009
【図８】
0003211999.tif 000010
【図９】
0003211999.tif 000011
【図１０】
0003211999.tif 000012
【図１１】
0003211999.tif 000013
【図１２】
0003211999.tif 000014
【図１３】
0003211999.tif 000015
【図１４】
0003211999.tif 000016
【図１５】
0003211999.tif 000017
【図１６】
0003211999.tif 000018
【図１７】
0003211999.tif 000019
【図１８】
0003211999.tif 000020
【図１９】
0003211999.tif 000021
【図２０】
0003211999.tif 000022
【図２１】
0003211999.tif 000023
【図２２】
0003211999.tif 000024
【図２３】
0003211999.tif 000025
【図２４】
0003211999.tif 000026
【図２５】
0003211999.tif 000027
【手続補正書】
【提出日】平成29年6月19日(2017.6.19)
【手続補正１】
【補正対象書類名】実用新案登録請求の範囲
【補正対象項目名】請求項４
【補正方法】変更
【補正の内容】
【請求項４】
該第１支柱部の厚み（ｔ１）と該第２支柱部の厚み（ｔ２）は、同じであり、該薄肉部は、該第１支柱部および該第２支柱部の厚み方向の奥側の端部に位置することを特徴とする請求項１記載の支柱体。